(57)【要約】【課題】不要な端末装置の管理情報を解放してネットワークの利用効率を向上させることができる端末装置などを提供する。【解決手段】端末装置（移動端末装置２１−１）は、基地局装置との間で無線により通信する無線通信部と、無線通信部により、主となる基地局装置（ＰＣｅｌｌ）との間で無線通信が可能となるように接続するとともに、従となる基地局装置（ＳＣｅｌｌ）との間で無線通信が可能となるように接続する接続制御部と、主となる基地局装置との無線通信があらかじめ定められた条件に基づいて通信接続断の状態であることを検出する主基地局接続断検出部と、前記主基地局接続断検出部により前記通信接続断の状態であることが検出された場合に、無線通信部により、主となる基地局装置との通信接続断に関する情報を従となる基地局装置に対して無線により送信する主基地局接続断情報送信部と、を備えることを特徴とする。【選択図】図１
2014138317.tif 000002
【特許請求の範囲】
【請求項１】
基地局装置との間で無線により通信する無線通信部と、
前記無線通信部により、主となる基地局装置との間で無線通信が可能となるように接続するとともに、従となる基地局装置との間で無線通信が可能となるように接続する接続制御部と、
前記主となる基地局装置との無線通信があらかじめ定められた条件に基づいて通信接続断の状態であることを検出する主基地局接続断検出部と、
前記主基地局接続断検出部により前記通信接続断の状態であることが検出された場合に、前記無線通信部により、前記主となる基地局装置との通信接続断に関する情報を前記従となる基地局装置に対して無線により送信する主基地局接続断情報送信部と、
を備えることを特徴とする端末装置。
【請求項２】
基地局装置との間で無線により通信する無線通信部と、
前記無線通信部により、主となる基地局装置との間で無線通信が可能となるように接続するとともに、従となる基地局装置との間で無線通信が可能となるように接続する接続制御部と、
前記従となる基地局装置との無線通信があらかじめ定められた条件に基づいて通信接続断の状態であることを検出する従基地局接続断検出部と、
前記従基地局接続断検出部により前記通信接続断の状態であることが検出された場合に、前記無線通信部により、前記従となる基地局装置との通信接続断に関する情報を前記主となる基地局装置に対して無線により送信する従基地局接続断情報送信部と、
を備えることを特徴とする端末装置。
【請求項３】
端末装置との間で無線により通信する無線通信部と、
無線通信が可能であるように接続している端末装置に関する情報を記憶する記憶部と、
自装置が従となる基地局装置として無線通信が可能であるように接続している端末装置から無線により送信される主となる基地局装置との通信接続断に関する情報が前記無線通信部により受信された場合に、前記記憶部に記憶される前記端末装置に関する情報の一部又は全部を消去する第１記憶情報制御部と、
を備えることを特徴とする基地局装置。
【請求項４】
他の基地局装置との間で通信する通信部と、
自装置が従となる基地局装置として無線通信が可能であるように接続している端末装置から無線により送信される主となる基地局装置との通信接続断に関する情報が前記無線通信部により受信された場合に、前記通信部により、前記主となる基地局装置との通信接続断に関する情報を前記主となる基地局装置に対して送信する主基地局接続断情報送信部と、
を備えることを特徴とする請求項３に記載の基地局装置。
【請求項５】
端末装置との間で無線により通信する無線通信部と、
無線通信が可能であるように接続している端末装置に関する情報を記憶する記憶部と、
他の基地局装置との間で通信する通信部と、
自装置が主となる基地局装置として無線通信が可能であるように接続している端末装置から無線により送信される従となる基地局装置との通信接続断に関する情報が前記無線通信部により受信された場合に、前記通信部により、前記従となる基地局装置との通信接続断に関する情報を前記従となる基地局装置に対して送信する従基地局接続断情報送信部と、
を備えることを特徴とする基地局装置。
【請求項６】
前記通信部により、他の基地局装置から送信される端末装置と自装置との通信接続断に関する情報が受信された場合に、前記記憶部に記憶される前記端末装置に関する情報の一部又は全部を消去する第２記憶情報制御部を備える、
ことを特徴とする請求項４又は請求項５に記載の基地局装置。
【請求項７】
端末装置と、複数の基地局装置を有し、
前記端末装置は、主となる基地局装置との間で無線通信が可能となるように接続するとともに、従となる基地局装置との間で無線通信が可能となるように接続し、前記主となる基地局装置又は前記従となる基地局装置との無線通信があらかじめ定められた条件に基づいて通信接続断の状態であることを検出した場合に、前記主となる基地局装置又は前記従となる基地局装置との通信接続断に関する情報を前記従となる基地局装置又は前記主となる基地局装置に対して無線により送信する、
ことを特徴とする通信システム。
【請求項８】
端末装置は、主となる基地局装置との間で無線通信が可能となるように接続するとともに、従となる基地局装置との間で無線通信が可能となるように接続し、前記主となる基地局装置又は前記従となる基地局装置との無線通信があらかじめ定められた条件に基づいて通信接続断の状態であることを検出した場合に、前記主となる基地局装置又は前記従となる基地局装置との通信接続断に関する情報を前記従となる基地局装置又は前記主となる基地局装置に対して無線により送信する、
ことを特徴とする通信方法。
【発明の詳細な説明】
【技術分野】
【０００１】
本発明は、端末装置、基地局装置、通信システム及び通信方法に関する。
【背景技術】
【０００２】
３ＧＰＰで検討されているＬＴＥ−Ａｄｖａｎｃｅｄシステムでは、周波数利用効率とピークスループットの向上を目的として、複数の周波数帯域（コンポーネントキャリア（ＣＣ：Ｃｏｍｐｏｎｅｎｔ  Ｃａｒｒｉｅｒ））を同時に使用するキャリアアグリゲーション（ＣＡ：Ｃａｒｒｉｅｒ  Ａｇｇｒｅｇａｔｉｏｎ）技術が採用されている（非特許文献１参照。）。
【０００３】
キャリアアグリゲーションの一つの形態であるインターサイト  キャリアアグリゲーション（Ｉｎｔｅｒ−Ｓｉｔｅ  ＣＡ）では、移動端末装置（ＵＥ：Ｕｓｅｒ  Ｅｑｕｉｐｍｅｎｔ）は、異なる場所に設置された複数の基地局装置（ｅＮＢ：Ｅ−ＵＴＲＡＮ  ＮｏｄｅＢ）と同時に接続し、基地局装置毎に異なる周波数帯域（ＣＣ）を使用して通信する。
更に、基地局装置と移動端末装置との通信において、Ｃ−ＰｌａｎｅとＵ−Ｐｌａｎｅを分離して、それぞれを異なる基地局装置を介して伝送するネットワーク形態が提案されている（非特許文献２参照。）。
【０００４】
ここで、マクロセル（Ｍａｃｒｏ  Ｃｅｌｌ）のマクロ基地局装置とは、主に移動端末装置のカバレッジ確保のために広くエリア展開される基地局装置を指し、一例として８００ＭＨｚ帯などのキャリア周波数の帯域が利用される。また、小セル（Ｓｍａｌｌ  Ｃｅｌｌ）の小セル基地局装置とは、容量拡大のためにスポット的に設置されるカバレッジが狭い基地局装置を指し、一例として３．４ＧＨｚ帯などの高周波数の帯域が利用される。
また、キャリアアグリゲーションにおいて、移動端末装置と基地局装置とのＲＲＣ（Ｒａｄｉｏ  Ｒｅｓｏｕｒｃｅ  Ｃｏｎｔｒｏｌ）接続を管理する基地局装置をＰＣｅｌｌ（Ｐｒｉｍａｒｙ  Ｃｅｌｌ）と呼び、それ以外の基地局をＳＣｅｌｌ（Ｓｅｃｏｎｄａｒｙ  Ｃｅｌｌ）と呼ぶ。また、Ｃ−Ｐｌａｎｅは移動端末装置の接続管理やモビリティ制御を行うためのプロトコルであり、Ｕ−Ｐｌａｎｅはユーザトラヒックやスケジューリング情報の送受信に関するプロトコルである。
【０００５】
また、下りリンク（ＤＬ：Ｄｏｗｎ  Ｌｉｎｋ）は、基地局装置から移動端末装置への方向の通信を表し、上りリンク（ＵＬ：Ｕｐ  Ｌｉｎｋ）は、移動端末装置から基地局装置への方向の通信を表す。
【先行技術文献】
【非特許文献】
【０００６】
【非特許文献１】３ＧＰＰ  ＴＳ３６．３００  ｖ１１．３．０、  “Ｅ−ＵＴＲＡ  ａｎｄ  Ｅ−ＵＴＲＡＮ  ｏｖｅｒａｌｌ  ｄｅｓｃｒｉｐｔｉｏｎ”、  ２０１２−０９．
【非特許文献２】ＮＴＴ  ＤＯＣＯＭＯ  ＩＮＣ．、  “Ｒｅｑｕｉｒｅｍｅｎｔｓ，  Ｃａｎｄｉｄａｔｅ  Ｓｏｌｕｔｉｏｎｓ  ＆  Ｔｅｃｈｎｏｌｏｇｙ  Ｒｏａｄｍａｐ  ｆｏｒ  ＬＴＥ  Ｒｅｌ−１２  Ｏｎｗａｒｄ”、  ３ＧＰＰ  Ｗｏｒｋｓｈｏｐ  ｏｎ  Ｒｅｌｅａｓｅ  １２  ａｎｄ  ｏｎｗａｒｄｓ、  ＲＷＳ−１２００１０、  Ｊｕｎｅ  １１−１２、  ２０１２．
【非特許文献３】３ＧＰＰ  ＴＳ３６．３３１  ｖ１１．１．０、  “Ｅ−ＵＴＲＡ  ＲＲＣ  Ｐｒｏｔｏｃｏｌ  ｓｐｅｃｉｆｉｃａｔｉｏｎ”、  ２０１２−０９．
【発明の概要】
【発明が解決しようとする課題】
【０００７】
図７は、ＰＣｅｌｌの通信品質劣化に伴う通信接続断と再接続処理の例を説明するための図である。
図７に示される通信システムは、マクロ基地局装置１００１−１と、小セル基地局装置１００２−１と、移動端末装置１０２１−１を備える。また、図７には、マクロ基地局装置１００１−１のセル（通信領域）１０１１−１と、小セル基地局装置１００２−１のセル（通信領域）１０１２−１を示してあり、図７の例では、小セル基地局装置１００２−１のセル１０１２−１は、マクロ基地局装置１００１−１のセル１０１１−１に含まれている。
【０００８】
移動端末装置１０２１−１について、マクロ基地局装置１００１−１がＰＣｅｌｌでありＣ−Ｐｌａｎｅを通信し、小セル基地局装置１００２−１がＳＣｅｌｌでありＵ−Ｐｌａｎｅを通信する、とする。通信システムでは、次の処理（１）−（３）を行う。
（１）移動端末装置１０２１−１とＰＣｅｌｌとの通信品質が劣化し、移動端末装置１０２１−１とＰＣｅｌｌとの通信接続の切断（通信接続断）が発生すると、移動端末装置１０２１−１とＳＣｅｌｌとの通信品質に関わらず、移動端末装置１０２１−１と基地局ネットワークとの接続が切断される。
（２）ＰＣｅｌｌとの再接続を実施する移動端末装置１０２１−１は、ＰＣｅｌｌとの再接続処理中にＳＣｅｌｌとの接続をリセット（接続断）する。
（３）このため、移動端末装置１０２１−１は、ＳＣｅｌｌとの通信を行うためには、再度、ＳＣｅｌｌとの再接続処理を実施する。
【０００９】
ここで、前記（１）のように、移動端末装置２１−１とＰＣｅｌｌとの通信の品質が劣化して、移動端末装置２１−１とＰＣｅｌｌとの通信接続が切断すると、ＳＣｅｌｌとの通信の品質に関わらず、移動端末装置２１−１と基地局ネットワークとの接続が切断される。また、前記（２）のように、ＰＣｅｌｌとの再接続を実施する移動端末装置１０２１−１は、ＰＣｅｌｌとの再接続処理中にＳＣｅｌｌとの接続をリセットする。
このため、前記（１）において移動端末装置２１−１とＰＣｅｌｌとの通信接続が切断されてから、前記（２）において再接続処理が実施されるまで、ＰＣｅｌｌ及びＳＣｅｌｌでは、移動端末装置２１−１が通信接続断となったことを知る方法がなく、移動端末装置２１−１を管理するリソースを解放することができないことから、ネットワークの利用効率が低下するという問題があった。
【００１０】
本発明は、このような事情を考慮してなされたもので、不要な端末装置の管理情報を解放してネットワークの利用効率を向上させることができる端末装置、基地局装置、通信システム及び通信方法を提供することを課題とする。
【課題を解決するための手段】
【００１１】
（１）上記の課題を解決するために、本発明に係る端末装置は、基地局装置との間で無線により通信する無線通信部と、前記無線通信部により、主となる基地局装置との間で無線通信が可能となるように接続するとともに、従となる基地局装置との間で無線通信が可能となるように接続する接続制御部と、前記主となる基地局装置との無線通信があらかじめ定められた条件に基づいて通信接続断の状態であることを検出する主基地局接続断検出部と、前記主基地局接続断検出部により前記通信接続断の状態であることが検出された場合に、前記無線通信部により、前記主となる基地局装置との通信接続断に関する情報を前記従となる基地局装置に対して無線により送信する主基地局接続断情報送信部と、を備えることを特徴とする。
【００１２】
（２）上記の課題を解決するために、本発明に係る端末装置は、基地局装置との間で無線により通信する無線通信部と、前記無線通信部により、主となる基地局装置との間で無線通信が可能となるように接続するとともに、従となる基地局装置との間で無線通信が可能となるように接続する接続制御部と、前記従となる基地局装置との無線通信があらかじめ定められた条件に基づいて通信接続断の状態であることを検出する従基地局接続断検出部と、前記従基地局接続断検出部により前記通信接続断の状態であることが検出された場合に、前記無線通信部により、前記従となる基地局装置との通信接続断に関する情報を前記主となる基地局装置に対して無線により送信する従基地局接続断情報送信部と、を備えることを特徴とする。
【００１３】
（３）上記の課題を解決するために、本発明に係る基地局装置は、端末装置との間で無線により通信する無線通信部と、無線通信が可能であるように接続している端末装置に関する情報を記憶する記憶部と、自装置が従となる基地局装置として無線通信が可能であるように接続している端末装置から無線により送信される主となる基地局装置との通信接続断に関する情報が前記無線通信部により受信された場合に、前記記憶部に記憶される前記端末装置に関する情報の一部又は全部を消去する第１記憶情報制御部と、を備えることを特徴とする。
【００１４】
（４）本発明は、上記した（３）に記載の基地局装置において、他の基地局装置との間で通信する通信部と、自装置が従となる基地局装置として無線通信が可能であるように接続している端末装置から無線により送信される主となる基地局装置との通信接続断に関する情報が前記無線通信部により受信された場合に、前記通信部により、前記主となる基地局装置との通信接続断に関する情報を前記主となる基地局装置に対して送信する主基地局接続断情報送信部と、を備えることを特徴とする。
【００１５】
（５）上記の課題を解決するために、本発明に係る基地局装置は、端末装置との間で無線により通信する無線通信部と、無線通信が可能であるように接続している端末装置に関する情報を記憶する記憶部と、他の基地局装置との間で通信する通信部と、自装置が主となる基地局装置として無線通信が可能であるように接続している端末装置から無線により送信される従となる基地局装置との通信接続断に関する情報が前記無線通信部により受信された場合に、前記通信部により、前記従となる基地局装置との通信接続断に関する情報を前記従となる基地局装置に対して送信する従基地局接続断情報送信部と、を備えることを特徴とする。
【００１６】
（６）本発明は、上記した（４）又は上記した（５）に記載の基地局装置において、前記通信部により、他の基地局装置から送信される端末装置と自装置との通信接続断に関する情報が受信された場合に、前記記憶部に記憶される前記端末装置に関する情報の一部又は全部を消去する第２記憶情報制御部を備える、ことを特徴とする。
【００１７】
（７）上記の課題を解決するために、本発明に係る通信システムは、端末装置と、複数の基地局装置を有し、前記端末装置は、主となる基地局装置との間で無線通信が可能となるように接続するとともに、従となる基地局装置との間で無線通信が可能となるように接続し、前記主となる基地局装置又は前記従となる基地局装置との無線通信があらかじめ定められた条件に基づいて通信接続断の状態であることを検出した場合に、前記主となる基地局装置又は前記従となる基地局装置との通信接続断に関する情報を前記従となる基地局装置又は前記主となる基地局装置に対して無線により送信する、ことを特徴とする。
【００１８】
（８）上記の課題を解決するために、本発明に係る通信方法は、端末装置は、主となる基地局装置との間で無線通信が可能となるように接続するとともに、従となる基地局装置との間で無線通信が可能となるように接続し、前記主となる基地局装置又は前記従となる基地局装置との無線通信があらかじめ定められた条件に基づいて通信接続断の状態であることを検出した場合に、前記主となる基地局装置又は前記従となる基地局装置との通信接続断に関する情報を前記従となる基地局装置又は前記主となる基地局装置に対して無線により送信する、ことを特徴とする。
【発明の効果】
【００１９】
本発明によれば、不要な端末装置の管理情報を解放してネットワークの利用効率を向上させることができる。
【図面の簡単な説明】
【００２０】
【図１】本発明の一実施形態に係る通信システムの概略的な構成を示すブロック図である。
【図２】本発明の一実施形態に係る移動端末装置の概略的な構成を示すブロック図である。
【図３】本発明の一実施形態に係るマクロ基地局装置の概略的な構成を示すブロック図である。
【図４】本発明の一実施形態に係る小セル基地局装置の概略的な構成を示すブロック図である。
【図５】本発明の一実施形態に係る通信システムにおいて行われる処理（ＳＣｅｌｌ及びＰＣｅｌｌへの接続断通知の処理）の例を説明するための図である。
【図６】本発明の一実施形態に係る通信システムにおいて行われる処理（ＳＣｅｌｌ及びＰＣｅｌｌへの接続断通知の処理）の例を説明するための図である。
【図７】ＰＣｅｌｌの通信品質劣化に伴う通信接続断と再接続処理の例を説明するための図である。
【発明を実施するための形態】
【００２１】
以下、図面を参照し、本発明の実施形態について説明する。
＜本実施形態に係る通信システムの構成＞
本実施形態に係る通信システムでは、Ｃ−ＰｌａｎｅのデータはＰＣｅｌｌを介して送受信され、Ｕ−ＰｌａｎｅのデータはＰＣｅｌｌとＳＣｅｌｌとのいずれか一方、若しくは、両方を介して送受信されるとする。また、本実施形態に係る通信システムでは、マクロ基地局装置と小セル基地局装置は、それぞれ、ＰＣｅｌｌとして接続することもでき、ＳＣｅｌｌとして接続することもできるとする。
【００２２】
図１は、本発明の一実施形態に係る通信システムの概略的な構成を示すブロック図である。
本実施形態に係る通信システムは、複数（図１の例では、２個示す。）のマクロ基地局装置１−１〜１−２と、複数（図１の例では、３個示す。）の小セル基地局装置２−１〜２−３と、複数（図１の例では、１個のみ示す。）の移動端末装置（端末装置の一例）２１−１を備える。また、図１には、各マクロ基地局装置１−１〜１−２のセル（通信領域）１１−１〜１１−２と、各小セル基地局装置２−１〜２−３のセル（通信領域）１２−１〜１２−３を示してある。
【００２３】
図１の例では、小セル基地局装置２−１〜２−２のセル１２−１〜１２−２は、マクロ基地局装置１−１のセル１１−１に含まれており、また、２個のマクロ基地局装置１−１〜１−２のセル１１−１〜１１−２と１個の小セル基地局装置２−３のセル１２−３は、互いに重複する領域（エリア）を有している。
移動端末装置２１−１について、マクロ基地局装置１−１がＰＣｅｌｌでありＣ−Ｐｌａｎｅのデータ（信号）を通信し、小セル基地局装置２−１がＳＣｅｌｌでありＵ−Ｐｌａｎｅのデータ（信号）を通信する、とする。
【００２４】
本実施形態では、各マクロ基地局装置１−１〜１−２と各小セル基地局装置２−１〜２−３は、互いに直接又は間接に通信することが可能であるように接続されている。この通信としては、例えば、有線の通信が用いられてもよく、又は、無線の通信が用いられてもよい。
本実施形態に係る通信システムでは、移動端末装置２１−１は、Ｃ／Ｕ分離を用いたマクロ基地局装置１−１〜１−２と小セル基地局装置２−１〜２−３との同時通信が可能である。
なお、通信システムにおいて、マクロ基地局装置の数や、小セル基地局装置の数や、移動端末装置の数としては、それぞれ、様々な数が用いられてもよい。
【００２５】
＜本実施形態に係る移動端末装置の構成＞
図２は、本発明の一実施形態に係る移動端末装置の概略的な構成を示すブロック図である。本実施形態では、各移動端末装置は同様な構成を有し同様な動作を行うため、これらをまとめて移動端末装置２１として説明する。
本実施形態に係る移動端末装置２１は、アンテナ１０１と、無線通信部１０２と、入力部１０３と、出力部１０４と、記憶部１０５と、制御部１０６を備える。
制御部１０６は、接続制御部２０１と、従基地局接続断検出部２０２と、主基地局接続断検出部２０３と、従基地局接続断情報送信部２０４と、主基地局接続断情報送信部２０５を備える。
【００２６】
アンテナ１０１は、無線の信号を通信（送信及び受信）する。
無線通信部１０２は、送信対象の信号を処理してアンテナ１０１から無線により送信し、アンテナ１０１により受信された無線の信号を処理する。無線通信部１０２は、例えば、基地局装置（本実施形態では、マクロ基地局装置１−１〜１−２や小セル基地局装置２−１〜２−３）との間で無線により通信する。
入力部１０３は、外部からの入力を行う。入力部１０３は、例えば、ユーザ（人）により行われる操作を受け付ける操作部を有する。操作部は、例えば、タッチパネル或いはキーなどから構成される。また、入力部１０３は、例えば、外部から音（例えば、音声）を入力する音声入力部を有する。また、入力部１０３は、例えば、外部のメモリ或いは装置などからデータを入力するデータ入力部を有する。
出力部１０４は、外部への出力を行う。出力部１０４は、例えば、情報を画面に表示する表示部を有する。表示部は、例えば、液晶画面などから構成される。また、出力部１０４は、例えば、外部へ音（例えば、音声）を出力する音声出力部を有する。また、出力部１０４は、例えば、外部のメモリ或いは装置などへデータを出力するデータ出力部を有する。
記憶部１０５は、各種の情報を記憶する。記憶部１０５は、例えば、メモリから構成される。記憶部１０５は、例えば、制御部１０６などのプロセッサにより処理されるプログラムを記憶する。
制御部１０６は、各種の処理や制御を行う。
【００２７】
接続制御部２０１は、無線通信部１０２により、主となる基地局装置（本実施形態では、ＰＣｅｌｌ）との間で無線通信が可能となるように接続するとともに、従となる基地局装置（本実施形態では、ＳＣｅｌｌ）との間で無線通信が可能となるように接続する。
主基地局接続断検出部２０３は、主となる基地局装置との無線通信があらかじめ定められた条件に基づいて通信接続断（本実施形態では、ＲＬＦ（Ｒａｄｉｏ  Ｌｉｎｋ  Ｆａｉｌｕｒｅ））の状態であることを検出する。
主基地局接続断情報送信部２０５は、主基地局接続断検出部２０３により前記通信接続断の状態であることが検出された場合に、無線通信部１０２により、主となる基地局装置との通信接続断に関する情報を従となる基地局装置に対して無線により送信する。
従基地局接続断検出部２０２は、従となる基地局装置との無線通信があらかじめ定められた条件に基づいて通信接続断（本実施形態では、ＲＬＦ）の状態であることを検出する。
従基地局接続断情報送信部２０４は、従基地局接続断検出部２０２により前記通信接続断の状態であることが検出された場合に、無線通信部１０２により、従となる基地局装置との通信接続断に関する情報を主となる基地局装置に対して無線により送信する。
【００２８】
＜本実施形態に係るマクロ基地局装置の構成＞
図３は、本発明の一実施形態に係るマクロ基地局装置の概略的な構成を示すブロック図である。本実施形態では、各マクロ基地局装置は同様な構成を有し同様な動作を行うため、これらをまとめてマクロ基地局装置１として説明する。
本実施形態に係るマクロ基地局装置１は、アンテナ１２１と、無線通信部１２２と、通信部１２３と、記憶部１２４と、制御部１２５を備える。
制御部１２５は、第１記憶情報制御部３０１と、主基地局接続断情報送信部３０２と、従基地局接続断情報送信部３０３と、第２記憶情報制御部３０４を備える。
【００２９】
アンテナ１２１は、無線の信号を通信（送信及び受信）する。
無線通信部１２２は、送信対象の信号を処理してアンテナ１２１から無線により送信し、アンテナ１２１により受信された無線の信号を処理する。無線通信部１２２は、例えば、移動端末装置２１−１との間で無線により通信する。
通信部１２３は、他の基地局装置（マクロ基地局装置及び小セル基地局装置）との間で情報を通信（送信及び受信）する。この通信は、例えば、有線の回線を介して行われてもよく、又は、無線の回線を介して行われてもよい。
記憶部１２４は、各種の情報を記憶する。記憶部１２４は、例えば、メモリから構成される。記憶部１２４は、例えば、制御部１２５などのプロセッサにより処理されるプログラムを記憶する。また、記憶部１２４は、例えば、無線通信が可能であるように接続している移動端末装置２１−１に関する情報（例えば、管理するための情報）を記憶する。
制御部１２５は、各種の処理や制御を行う。
【００３０】
第１記憶情報制御部３０１は、自装置（自己の装置）が従となる基地局装置として無線通信が可能であるように接続している移動端末装置２１−１から無線により送信される主となる基地局装置との通信接続断に関する情報が無線通信部１２２により受信された場合に、記憶部１２４に記憶される前記移動端末装置２１−１に関する情報（例えば、当該情報の一部又は全部のうちのいずれでもよい）を消去する。
主基地局接続断情報送信部３０２は、自装置（自己の装置）が従となる基地局装置として無線通信が可能であるように接続している移動端末装置２１−１から無線により送信される主となる基地局装置との通信接続断に関する情報が無線通信部１２２により受信された場合に、通信部１２３により、主となる基地局装置との通信接続断に関する情報を主となる基地局装置に対して送信する。
従基地局接続断情報送信部３０３は、自装置（自己の装置）が主となる基地局装置として無線通信が可能であるように接続している移動端末装置２１−１から無線により送信される従となる基地局装置との通信接続断に関する情報が無線通信部１２２により受信された場合に、通信部１２３により、従となる基地局装置との通信接続断に関する情報を従となる基地局装置に対して送信する。
第２記憶情報制御部３０４は、通信部１２３により、他の基地局装置から送信される移動端末装置２１−１と自装置（自己の装置）との通信接続断に関する情報が受信された場合に、記憶部１２４に記憶される前記移動端末装置２１−１に関する情報（例えば、当該情報の一部又は全部のうちのいずれでもよい）を消去する。
【００３１】
＜本実施形態に係る小セル基地局装置の構成＞
図４は、本発明の一実施形態に係る小セル基地局装置の概略的な構成を示すブロック図である。本実施形態では、各小セル基地局装置は同様な構成を有し同様な動作を行うため、これらをまとめて小セル基地局装置２として説明する。
本実施形態に係る小セル基地局装置２は、アンテナ１４１と、無線通信部１４２と、通信部１４３と、記憶部１４４と、制御部１４５を備える。
制御部１４５は、第１記憶情報制御部４０１と、主基地局接続断情報送信部４０２と、従基地局接続断情報送信部４０３と、第２記憶情報制御部４０４を備える。
【００３２】
アンテナ１４１は、無線の信号を通信（送信及び受信）する。
無線通信部１４２は、送信対象の信号を処理してアンテナ１４１から無線により送信し、アンテナ１４１により受信された無線の信号を処理する。無線通信部１４２は、例えば、移動端末装置２１−１との間で無線により通信する。
通信部１４３は、他の基地局装置（マクロ基地局装置及び小セル基地局装置）との間で情報を通信（送信及び受信）する。この通信は、例えば、有線の回線を介して行われてもよく、又は、無線の回線を介して行われてもよい。
記憶部１４４は、各種の情報を記憶する。記憶部１４４は、例えば、メモリから構成される。記憶部１４４は、例えば、制御部１４５などのプロセッサにより処理されるプログラムを記憶する。また、記憶部１４４は、例えば、無線通信が可能であるように接続している移動端末装置２１−１に関する情報（例えば、管理するための情報）を記憶する。
制御部１４５は、各種の処理や制御を行う。
【００３３】
第１記憶情報制御部４０１は、自装置（自己の装置）が従となる基地局装置として無線通信が可能であるように接続している移動端末装置２１−１から無線により送信される主となる基地局装置との通信接続断に関する情報が無線通信部１４２により受信された場合に、記憶部１４４に記憶される前記移動端末装置２１−１に関する情報（例えば、当該情報の一部又は全部のうちのいずれでもよい）を消去する。
主基地局接続断情報送信部４０２は、自装置（自己の装置）が従となる基地局装置として無線通信が可能であるように接続している移動端末装置２１−１から無線により送信される主となる基地局装置との通信接続断に関する情報が無線通信部１４２により受信された場合に、通信部１４３により、主となる基地局装置との通信接続断に関する情報を主となる基地局装置に対して送信する。
従基地局接続断情報送信部４０３は、自装置（自己の装置）が主となる基地局装置として無線通信が可能であるように接続している移動端末装置２１−１から無線により送信される従となる基地局装置との通信接続断に関する情報が無線通信部１４２により受信された場合に、通信部１４３により、従となる基地局装置との通信接続断に関する情報を従となる基地局装置に対して送信する。
第２記憶情報制御部４０４は、通信部１４３により、他の基地局装置から送信される移動端末装置２１−１と自装置（自己の装置）との通信接続断に関する情報が受信された場合に、記憶部１４４に記憶される前記移動端末装置２１−１に関する情報（例えば、当該情報の一部又は全部のうちのいずれでもよい）を消去する。
【００３４】
＜本実施形態に係る通信システムにおいて行われる処理＞
図５は、本発明の一実施形態に係る通信システムにおいて行われる処理（ＳＣｅｌｌ及びＰＣｅｌｌへの接続断通知の処理）の例を説明するための図である。
図５には、本処理を説明するための構成として、マクロ基地局装置１−１と、小セル基地局装置２−１と、移動端末装置２１−１と、マクロ基地局装置１−１のセル１１−１と、小セル基地局装置２−１のセル１２−１を示してある。
【００３５】
移動端末装置２１−１について、マクロ基地局装置１−１がＰＣｅｌｌでありＣ−Ｐｌａｎｅのデータ（信号）を通信し、小セル基地局装置２−１がＳＣｅｌｌでありＵ−Ｐｌａｎｅのデータ（信号）を通信する、とする。
本実施形態に係る通信システムでは、概略的には、移動端末装置２１−１は、ＰＣｅｌｌとの通信接続が切断されたときに、既に接続が確立されているＳＣｅｌｌに対してＰＣｅｌｌとの通信接続断を通知し、これにより、ＳＣｅｌｌにおける当該移動端末装置２１−１の管理情報（当該ＳＣｅｌｌに記憶されている情報）を解放する。また、ＳＣｅｌｌは、例えば、回線を介してＰＣｅｌｌに対して通信接続断に関する情報を通知し、これにより、当該ＰＣｅｌｌにおける移動端末装置２１−１の管理情報（当該ＰＣｅｌｌに記憶されている情報）を解放してもよい。
なお、基地局装置の間（ここでは、ＳＣｅｌｌとＰＣｅｌｌとの間）を接続する回線としては、例えば、いわゆるＸ２回線又はＳ１回線を用いることができる。
【００３６】
具体例として、本実施形態に係る通信システムでは、次の処理（１）−（３）を行う。
（１）移動端末装置２１−１は、主基地局接続断検出部２０３により、ＰＣｅｌｌ（この段階では、マクロ基地局装置１−１）との通信接続断（ＲＬＦ）を検出（検知）する。
ここで、移動端末装置２１−１とＰＣｅｌｌとの間のＲＬＦの検出の方法としては、特に限定はなく、例えば、非特許文献３の５．３．１１．３  Ｄｅｔｅｃｔｉｏｎ  ｏｆ  ｒａｄｉｏ  ｌｉｎｋ  ｆａｉｌｕｒｅに記載されたＲＬＦの判定の方法を用いることができる。また、ＲＬＦそのものを導入せずとも、チャネル品質情報（ＣＱＩ：ＣｈａｎｎｅｌＱｕａｌｉｔｙＩｎｄｉｃａｔｉｏｎ）が一定値以下ならＲＬＦが発生していると解釈することもできる。
【００３７】
また、移動端末装置２１−１は、ＳＣｅｌｌ（この段階では、小セル基地局装置２−１）との通信接続状態を監視し、従基地局接続断検出部２０２により、ＳＣｅｌｌとの通信接続断（ＲＬＦ）の発生を検出する。
ここで、移動端末装置２１−１とＳＣｅｌｌとの間のＲＬＦの検出の方法としては、特に限定はなく、例えば、非特許文献３の５．３．１１．３  Ｄｅｔｅｃｔｉｏｎ  ｏｆ  ｒａｄｉｏ  ｌｉｎｋ  ｆａｉｌｕｒｅに記載されたＲＬＦの判定の方法を、ＳＣｅｌｌに適用して、用いることができる。
【００３８】
より具体的には、移動端末装置２１−１は、次の３つの条件のうちのいずれか１つ以上の条件を満たしたことを判定したときに、ＳＣｅｌｌとの間で、ＲＬＦが発生したと判定する（詳細は、非特許文献３参照。）。
【００３９】
＜ＲＬＦが発生したと判定するための第１の条件＞
移動端末装置２１−１は、ＳＣｅｌｌとの無線通信における受信電力について、ｉｎ−ｓｙｎｃとｏｕｔ−ｏｆ−ｓｙｎｃを監視し、Ｔ３１０のタイマーが満了した場合に、条件（第１の条件）を満たしたことを判定する。
【００４０】
＜ＲＬＦが発生したと判定するための第２の条件＞
移動端末装置２１−１は、ＳＣｅｌｌについて、Ｔ３００、Ｔ３０１、Ｔ３０４、Ｔ３１１のタイマーを計測し、いずれかのタイマーが作動中に、ＭＡＣ（Ｍｅｄｉｕｍ  Ａｃｃｅｓｓ  Ｃｏｎｔｒｏｌ）においてランダムアクセス（Ｒａｎｄｏｍ  ａｃｃｅｓｓ）の手続き（ｐｒｏｃｅｄｕｒｅ）に失敗した場合に、条件（第２の条件）を満たしたことを判定する。
【００４１】
＜ＲＬＦが発生したと判定するための第３の条件＞
移動端末装置２１−１は、ＳＣｅｌｌにおいてＲＬＣ（Ｒａｄｉｏ  Ｌｉｎｋ  Ｃｏｎｔｒｏｌ）の最大再送回数に達した場合に、条件（第３の条件）を満たしたことを判定する。
【００４２】
本実施形態では、移動端末装置２１−１は、ＳＣｅｌｌとのＲＬＦが発生していない場合には、ＰＣｅｌｌとの再接続処理（ＲＲＣ  ｃｏｎｎｅｃｔｉｏｎ  ｒｅ−ｅｓｔａｂｌｉｓｈｍｅｎｔ）（非特許文献３の５．３．３  ＲＲＣ  ｃｏｎｎｅｃｔｉｏｎ  ｅｓｔａｂｌｉｓｈｍｅｎｔを参照。）を実行しなくてよい。
なお、移動端末装置２１−１と接続しているＳＣｅｌｌとして、複数のＳＣｅｌｌが存在する場合には、移動端末装置２１−１は、接続している全てのＳＣｅｌｌとの間で通信の接続状態を監視し、接続している全てのＳＣｅｌｌとの間でＲＬＦが同時に発生していない限り（つまり、１個以上のＳＣｅｌｌとの間でＲＬＦが発生していなければ）、ＰＣｅｌｌとの再接続処理を実行しなくてよい。
【００４３】
（２）移動端末装置２１−１は、主基地局接続断情報送信部２０５により、ＳＣｅｌｌに対して、ＰＣｅｌｌとの通信接続断に関する情報を通知する。また、移動端末装置２１−１は、ＳＣｅｌｌとのＲＬＦが発生していない場合にのみ、主基地局接続断情報送信部２０５により、ＳＣｅｌｌに対して、ＰＣｅｌｌとの通信接続断に関する情報を通知してもよい。移動端末装置２１−１は、この通知の信号（メッセージ）に、前記ＰＣｅｌｌにおける移動端末管理番号（Ｃ−ＲＮＴＩ：Ｃｅｌｌ  −  Ｒａｄｉｏ  Ｎｅｔｗｏｒｋ  Ｔｅｍｐｏｒａｒｙ  Ｉｄｅｎｔｉｆｉｅｒ）を含める。
ここで、この通知を行うタイミング（例えば、移動端末装置２１−１がこの通知の信号を送信するタイミング）としては、任意であってもよく、例えば、即座であってもよく、或いは、一定時間（所定の時間）の経過後であってもよい。
ＰＣｅｌｌとの通信接続断に関する情報を受信したＳＣｅｌｌは、第１記憶情報制御部（ここでは、小セル基地局装置２−１の第１記憶情報制御部４０１）により、当該ＳＣｅｌｌにおける移動端末装置２１−１の管理情報（移動端末装置２１−１に関して管理している情報）を解放（例えば、消去）する。
【００４４】
（３）ＰＣｅｌｌとの通信接続断に関する情報を受信したＳＣｅｌｌは、主基地局接続断情報送信部（ここでは、小セル基地局装置２−１の主基地局接続断情報送信部４０２）により、回線を介して、当該ＰＣｅｌｌに通信接続断に関する情報を通知する。ＳＣｅｌｌは、この通信接続断が発生した移動端末装置２１−１に関して、この通知の信号（メッセージ）に、前記ＰＣｅｌｌにおける移動端末管理番号（Ｃ−ＲＮＴＩ）を含める。
ここで、この通知を行うタイミング（例えば、ＳＣｅｌｌがこの通知の信号を送信するタイミング）としては、任意であってもよく、例えば、即座であってもよく、或いは、一定時間（所定の時間）の経過後であってもよい。
ＰＣｅｌｌとの通信接続断に関する情報を受信した当該ＰＣｅｌｌは、第２記憶情報制御部（ここでは、マクロ基地局装置１−１の第２記憶情報制御部３０４）により、当該ＰＣｅｌｌにおける移動端末装置２１−１の管理情報（移動端末装置２１−１に関して管理している情報）を解放（例えば、消去）する。
【００４５】
上記した図５に示したようなＳＣｅｌｌ及びＰＣｅｌｌへの接続断通知の処理と同様な処理を、移動端末装置２１−１とＳＣｅｌｌとの通信接続断について実施することもできる。
【００４６】
図６は、本発明の一実施形態に係る通信システムにおいて行われる処理（ＳＣｅｌｌ及びＰＣｅｌｌへの接続断通知の処理）の例を説明するための図である。
図６には、本処理を説明するための構成として、マクロ基地局装置１−１と、小セル基地局装置２−１〜２−２と、移動端末装置２１−１と、マクロ基地局装置１−１のセル１１−１と、小セル基地局装置２−１〜２−２のセル１２−１〜１２−２を示してある。
【００４７】
移動端末装置２１−１について、マクロ基地局装置１−１がＰＣｅｌｌでありＣ−Ｐｌａｎｅのデータ（信号）を通信し、小セル基地局装置２−１がＳＣｅｌｌでありＵ−Ｐｌａｎｅのデータ（信号）を通信する、とする。
本実施形態に係る通信システムでは、概略的には、移動端末装置２１−１は、ＳＣｅｌｌとの通信接続が切断されたときに、既に接続が確立されているＰＣｅｌｌに対してＳＣｅｌｌとの通信接続断を通知し、これにより、ＰＣｅｌｌにおける当該移動端末装置２１−１の管理情報（当該ＰＣｅｌｌに記憶されている情報）を解放する。また、ＰＣｅｌｌは、例えば、回線を介してＳＣｅｌｌに対して通信接続断に関する情報を通知し、これにより、当該ＳＣｅｌｌにおける移動端末装置２１−１の管理情報（当該ＳＣｅｌｌに記憶されている情報）を解放してもよい。
なお、基地局装置の間（ここでは、ＳＣｅｌｌとＰＣｅｌｌとの間）を接続する回線としては、例えば、いわゆるＸ２回線又はＳ１回線を用いることができる。
【００４８】
具体例として、本実施形態に係る通信システムでは、次の処理（１）−（３）を行う。
（１）移動端末装置２１−１は、ＳＣｅｌｌ（この段階では、小セル基地局装置２−１）との通信接続状態を監視し、従基地局接続断検出部２０２により、ＳＣｅｌｌとの通信接続断（ＲＬＦ）の発生を検出する。
ここで、移動端末装置２１−１とＳＣｅｌｌとの間のＲＬＦの検出の方法としては、特に限定はなく、例えば、非特許文献３の５．３．１１．３  Ｄｅｔｅｃｔｉｏｎ  ｏｆ  ｒａｄｉｏ  ｌｉｎｋ  ｆａｉｌｕｒｅに記載されたＲＬＦの判定の方法を、ＳＣｅｌｌに適用して、用いることができる。
【００４９】
より具体的には、移動端末装置２１−１は、次の３つの条件のうちのいずれか１つ以上の条件を満たしたことを判定したときに、ＳＣｅｌｌとの間で、ＲＬＦが発生したと判定する（詳細は、非特許文献３参照。）。
【００５０】
＜ＲＬＦが発生したと判定するための第１の条件＞
移動端末装置２１−１は、ＳＣｅｌｌとの無線通信における受信電力について、ｉｎ−ｓｙｎｃとｏｕｔ−ｏｆ−ｓｙｎｃを監視し、Ｔ３１０のタイマーが満了した場合に、条件（第１の条件）を満たしたことを判定する。
【００５１】
＜ＲＬＦが発生したと判定するための第２の条件＞
移動端末装置２１−１は、ＳＣｅｌｌについて、Ｔ３００、Ｔ３０１、Ｔ３０４、Ｔ３１１のタイマーを計測し、いずれかのタイマーが作動中に、ＭＡＣにおいてランダムアクセス（Ｒａｎｄｏｍ  ａｃｃｅｓｓ）の手続き（ｐｒｏｃｅｄｕｒｅ）に失敗した場合に、条件（第２の条件）を満たしたことを判定する。
【００５２】
＜ＲＬＦが発生したと判定するための第３の条件＞
移動端末装置２１−１は、ＳＣｅｌｌにおいてＲＬＣの最大再送回数に達した場合に、条件（第３の条件）を満たしたことを判定する。
【００５３】
（２）移動端末装置２１−１は、従基地局接続断情報送信部２０４により、ＰＣｅｌｌに対して、ＳＣｅｌｌとの通信接続断に関する情報を通知する。移動端末装置２１−１は、この通知の信号（メッセージ）に、前記ＳＣｅｌｌにおける移動端末管理番号（Ｃ−ＲＮＴＩ）を含める。
ここで、この通知を行うタイミング（例えば、移動端末装置２１−１がこの通知の信号を送信するタイミング）としては、任意であってもよく、例えば、即座であってもよく、或いは、一定時間（所定の時間）の経過後であってもよい。
【００５４】
（３）ＳＣｅｌｌとの通信接続断に関する情報を受信したＰＣｅｌｌは、従基地局接続断情報送信部（ここでは、マクロ基地局装置１−１の従基地局接続断情報送信部３０３）により、回線を介して、当該ＳＣｅｌｌに通信接続断に関する情報を通知する。ＰＣｅｌｌは、この通信接続断が発生した移動端末装置２１−１に関して、この通知の信号（メッセージ）に、前記ＳＣｅｌｌにおける移動端末管理番号（Ｃ−ＲＮＴＩ）を含める。
ここで、この通知を行うタイミング（例えば、ＰＣｅｌｌがこの通知の信号を送信するタイミング）としては、任意であってもよく、例えば、即座であってもよく、或いは、一定時間（所定の時間）の経過後であってもよい。
ＳＣｅｌｌとの通信接続断に関する情報を受信した当該ＳＣｅｌｌは、第２記憶情報制御部（ここでは、小セル基地局装置２−１の第２記憶情報制御部４０４）により、当該ＳＣｅｌｌにおける移動端末装置２１−１の管理情報（移動端末装置２１−１に関して管理している情報）を解放（例えば、消去）する。
【００５５】
＜本実施形態の構成及び効果のまとめ＞
以上のように、本実施形態に係る通信システムでは、移動端末装置２１−１が複数の基地局装置１−１、２−１に同時に接続して無線通信することが可能な構成において、基地局ネットワークとの接続を管理する基地局装置（本実施形態では、ＰＣｅｌｌ）との接続が切断されたときに、既に接続が確立されている他の基地局装置（本実施形態では、ＳＣｅｌｌ）へ基地局ネットワークとの接続断を通知し、基地局ネットワークにおける不要な移動端末装置２１−１の管理情報を解放することにより、ネットワークの利用効率を改善する。
【００５６】
本実施形態に係る通信システムでは、移動端末装置２１−１が、ＳＣｅｌｌとの通信の品質（例えば、受信電力など）を監視し、通信接続断（ＲＬＦ）の判定を実行する。
本実施形態に係る通信システムでは、移動端末装置２１−１がＰＣｅｌｌとのＲＬＦを検出したときに、移動端末装置２１−１とＳＣｅｌｌとの通信にＲＬＦが発生していない場合には、移動端末装置２１−１とＰＣｅｌｌとの再接続処理（ＲＲＣ  ｃｏｎｎｅｃｔｉｏｎ  ｒｅ−ｅｓｔａｂｌｉｓｈｍｅｎｔ）を行わない。
この場合に、移動端末装置２１−１と接続しているＳＣｅｌｌが複数存在する場合には、全てのＳＣｅｌｌとの通信にＲＬＦが発生している状態でない限り、移動端末装置２１−１とＰＣｅｌｌとの再接続処理（ＲＲＣ  ｃｏｎｎｅｃｔｉｏｎ  ｒｅ−ｅｓｔａｂｌｉｓｈｍｅｎｔ）を行わない。
【００５７】
本実施形態に係る通信システムでは、ＰＣｅｌｌとのＲＬＦを検出した移動端末装置２１−１が、ＳＣｅｌｌに対して、当該ＰＣｅｌｌでの移動端末管理番号（Ｃ−ＲＮＴＩ）を含む当該ＰＣｅｌｌとの通信接続断に関する信号（メッセージ）を通知する。
本実施形態に係る通信システムでは、移動端末装置２１−１とＰＣｅｌｌとの通信接続断に関する信号（メッセージ）を受信したＳＣｅｌｌは、当該ＳＣｅｌｌにおける当該移動端末装置２１−１に関する管理情報を解放する。
また、本実施形態に係る通信システムでは、移動端末装置２１−１とＰＣｅｌｌとの通信接続断に関する信号（メッセージ）を受信したＳＣｅｌｌは、バックボーン回線（例えば、Ｘ２回線若しくはＳ１回線）を介して、当該ＰＣｅｌｌに対して、当該ＰＣｅｌｌでの移動端末管理番号（Ｃ−ＲＮＴＩ）を含む当該ＰＣｅｌｌとの通信接続断に関する信号（メッセージ）を通知する。
また、本実施形態に係る通信システムでは、このような移動端末装置２１−１とＰＣｅｌｌとの通信接続断に関する信号（メッセージ）を受信した当該ＰＣｅｌｌは、当該ＰＣｅｌｌにおける当該移動端末装置２１−１に関する管理情報を解放する。
【００５８】
本実施形態に係る通信システムでは、ＲＬＦの判定によりＳＣｅｌｌとの通信接続断を検出した移動端末装置２１−１が、ＰＣｅｌｌに対して、当該ＳＣｅｌｌでの移動端末管理番号（Ｃ−ＲＮＴＩ）を含む当該ＳＣｅｌｌとの通信接続断に関する信号（メッセージ）を通知する。
また、本実施形態に係る通信システムでは、このような移動端末装置２１−１とＳＣｅｌｌとの通信接続断に関する信号（メッセージ）を受信したＰＣｅｌｌは、バックボーン回線（例えば、Ｘ２回線若しくはＳ１回線）を介して、当該ＳＣｅｌｌに対して、当該ＳＣｅｌｌでの移動端末管理番号（Ｃ−ＲＮＴＩ）を含む当該ＳＣｅｌｌとの通信接続断に関する信号（メッセージ）を通知する。
また、本実施形態に係る通信システムでは、このような移動端末装置２１−１とＳＣｅｌｌとの通信接続断に関する信号（メッセージ）を受信した当該ＳＣｅｌｌは、当該ＳＣｅｌｌにおける当該移動端末装置２１−１に関する管理情報を解放する。
【００５９】
以上のように、本実施形態に係る通信システムによると、基地局装置への通信接続断の通知として、移動端末装置２１−１が判定する基地局装置との通信接続断を基地局ネットワークにリアルタイムに通知することにより、不要な移動端末装置に関する管理情報を（例えば、即座に）解放して、ネットワークの利用効率を向上させることができる。
【００６０】
［以上の実施形態に係る構成例］
一構成例として、基地局装置（以上の実施形態では、マクロ基地局装置１−１〜１−２や小セル基地局装置２−１〜２−３）との間で無線により通信する無線通信部（以上の実施形態では、無線通信部１０２）と、前記無線通信部により、主となる基地局装置（以上の実施形態では、ＰＣｅｌｌ）との間で無線通信が可能となるように接続するとともに、従となる基地局装置（以上の実施形態では、ＳＣｅｌｌ）との間で無線通信が可能となるように接続する接続制御部（以上の実施形態では、接続制御部２０１）と、前記主となる基地局装置との無線通信があらかじめ定められた条件に基づいて通信接続断（以上の実施形態では、ＲＬＦ）の状態であることを検出する主基地局接続断検出部（以上の実施形態では、主基地局接続断検出部２０３）と、前記主基地局接続断検出部により前記通信接続断の状態であることが検出された場合に、前記無線通信部により、前記主となる基地局装置との通信接続断に関する情報を前記従となる基地局装置に対して無線により送信する主基地局接続断情報送信部（以上の実施形態では、主基地局接続断情報送信部２０５）と、を備えることを特徴とする端末装置（以上の実施形態では、移動端末装置２１−１）である。
【００６１】
一構成例として、基地局装置との間で無線により通信する無線通信部と、前記無線通信部により、主となる基地局装置との間で無線通信が可能となるように接続するとともに、従となる基地局装置との間で無線通信が可能となるように接続する接続制御部と、前記従となる基地局装置との無線通信があらかじめ定められた条件に基づいて通信接続断の状態であることを検出する従基地局接続断検出部（以上の実施形態では、従基地局接続断検出部２０２）と、前記従基地局接続断検出部により前記通信接続断の状態であることが検出された場合に、前記無線通信部により、前記従となる基地局装置との通信接続断に関する情報を前記主となる基地局装置に対して無線により送信する従基地局接続断情報送信部（以上の実施形態では、従基地局接続断情報送信部２０４）と、を備えることを特徴とする端末装置である。
【００６２】
一構成例として、端末装置との間で無線により通信する無線通信部（以上の実施形態では、無線通信部１２２、１４２）と、無線通信が可能であるように接続している端末装置に関する情報を記憶する記憶部（以上の実施形態では、記憶部１２４、１４４）と、自装置（自己の装置）が従となる基地局装置として無線通信が可能であるように接続している端末装置から無線により送信される主となる基地局装置との通信接続断に関する情報が前記無線通信部により受信された場合に、前記記憶部に記憶される前記端末装置に関する情報（例えば、当該情報の一部又は全部のうちのいずれでもよい）を消去する記憶情報制御部（以上の実施形態では、第１記憶情報制御部３０１、４０１）と、を備えることを特徴とする基地局装置（以上の実施形態では、マクロ基地局装置１−１〜１−２、小セル基地局装置２−１〜２−３）である。
【００６３】
一構成例として、基地局装置では、他の基地局装置との間で通信する通信部（以上の実施形態では、通信部１２３、１４３）と、自装置（自己の装置）が従となる基地局装置として無線通信が可能であるように接続している端末装置から無線により送信される主となる基地局装置との通信接続断に関する情報が前記無線通信部により受信された場合に、前記通信部により、前記主となる基地局装置との通信接続断に関する情報を前記主となる基地局装置に対して送信する主基地局接続断情報送信部（以上の実施形態では、主基地局接続断情報送信部３０２、４０２）と、を備えることを特徴とする。
【００６４】
一構成例として、基地局装置では、端末装置との間で無線により通信する無線通信部と、無線通信が可能であるように接続している端末装置に関する情報を記憶する記憶部と、他の基地局装置との間で通信する通信部と、自装置（自己の装置）が主となる基地局装置として無線通信が可能であるように接続している端末装置から無線により送信される従となる基地局装置との通信接続断に関する情報が前記無線通信部により受信された場合に、前記通信部により、前記従となる基地局装置との通信接続断に関する情報を前記従となる基地局装置に対して送信する従基地局接続断情報送信部（以上の実施形態では、従基地局接続断情報送信部３０３、４０３）と、を備えることを特徴とする。
【００６５】
一構成例として、基地局装置では、前記通信部により、他の基地局装置から送信される端末装置と自装置（自己の装置）との通信接続断に関する情報が受信された場合に、前記記憶部に記憶される前記端末装置に関する情報（例えば、当該情報の一部又は全部のうちのいずれでもよい）を消去する記憶情報制御部（以上の実施形態では、第２記憶情報制御部３０４、４０４）を備える、ことを特徴とする。
【００６６】
一構成例として、端末装置と、複数の基地局装置を有し、前記端末装置は、主となる基地局装置との間で無線通信が可能となるように接続するとともに、従となる基地局装置との間で無線通信が可能となるように接続し、前記主となる基地局装置（又は、前記従となる基地局装置）との無線通信があらかじめ定められた条件に基づいて通信接続断の状態であることを検出した場合に、前記主となる基地局装置（又は、前記従となる基地局装置）との通信接続断に関する情報を前記従となる基地局装置（又は、前記主となる基地局装置）に対して無線により送信する、ことを特徴とする通信システム（以上の実施形態では、図１に示される通信システム）である。
【００６７】
一構成例として、端末装置は、主となる基地局装置との間で無線通信が可能となるように接続するとともに、従となる基地局装置との間で無線通信が可能となるように接続し、前記主となる基地局装置（又は、前記従となる基地局装置）との無線通信があらかじめ定められた条件に基づいて通信接続断の状態であることを検出した場合に、前記主となる基地局装置（又は、前記従となる基地局装置）との通信接続断に関する情報を前記従となる基地局装置（又は、前記主となる基地局装置）に対して無線により送信する、ことを特徴とする通信方法（以上の実施形態では、図１に示される通信システムにおいて行われる通信の方法）である。
【００６８】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００６９】
また、以上に示した各実施形態に係る各装置（例えば、移動端末装置、基地局装置）の機能を実現するためのプログラムをコンピュータ読み取り可能な記録媒体に記録して、この記録媒体に記録されたプログラムをコンピュータシステムに読み込ませ、実行することにより、処理を行ってもよい。
【００７０】
なお、ここで言う「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【００７１】
更に、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。
更に、前述した機能をコンピュータシステムに既に記録されているプログラムとの組み合わせで実現できるもの、いわゆる差分ファイル（差分プログラム）であっても良い。
【符号の説明】
【００７２】
１、１−１〜１−２、１００１−１…マクロ基地局装置、２、２−１〜２−３、１００２−１…小セル基地局装置、１１−１〜１１−２、１２−１〜１２−３、１０１１−１、１０１２−１…セル（通信領域）、２１、２１−１、１０２１−１…移動端末装置、１０１、１２１、１４１…アンテナ、１０２、１２２、１４２…無線通信部、１０３…入力部、１０４…出力部、１０５、１２４、１４４…記憶部、１０６、１２５、１４５…制御部、１２３、１４３…通信部、２０１…接続制御部、２０２…従基地局接続断検出部、２０３…主基地局接続断検出部、２０４、３０３、４０３…従基地局接続断情報送信部、２０５、３０２、４０２…主基地局接続断情報送信部、３０１、４０１…第１記憶情報制御部、３０４、４０４…第２記憶情報制御部
【図１】
2014138317.tif 000003
【図２】
2014138317.tif 000004
【図３】
2014138317.tif 000005
【図４】
2014138317.tif 000006
【図５】
2014138317.tif 000007
【図６】
2014138317.tif 000008
【図７】
2014138317.tif 000009